(57)【要約】【課題】本発明は、ケース内側に格納された印字装置の銘板情報を容易に確認することができる印字装置を提供することを目的とする。【解決手段】表示画面５と、用紙Ｐに印字する印字部９と、を備えた印字装置１において、製造番号などの銘板情報を電子データとして記憶した銘板記憶部と、この銘板記憶部から前記銘板情報を呼び出して、前記表示画面５に表示もしくは前記用紙Ｐに印字することを特徴とする印字装置にある。【選択図】      図１
2004181650.tif 000002
【特許請求の範囲】
【請求項１】
文字などを表示する表示画面と、用紙に印字する印字部と、を備えた印字装置において、
製造番号などの銘板情報を電子データとして記憶する銘板記憶部と、この銘板記憶部から前記銘板情報を呼び出し、呼び出した銘板情報を前記表示画面に表示もしくは前記用紙に印字することを特徴とする印字装置。
【請求項２】
前記銘板記憶部に、メンテナンス情報を電子データとして記憶されていることを特徴とする請求項１記載の印字装置。
【発明の詳細な説明】
【０００１】
【発明の属する技術分野】
本発明は、印字装置に関し、特に銘板情報などを電子データとして記憶した印字装置に関する。
【０００２】
【従来の技術】
近年、印字装置は様々な仕様態様で使われており、単体の印字装置を他の装置や専用のケース内に組み込んで使用する場合がある。
このように、ケース内に組み込まれた印字装置は、ケース内に収納されていても、メンテナンスや消耗品の交換など容易にできるように配置されている。
しかし、印字装置の型式、シリアル番号（製造番号）などの情報を表示する銘板は、一般的に印字装置の目立たない位置、たとえば、用紙の供給部、用紙の搬送路や印字部などが配置された表側とは反対の裏面側に位置して貼り付けられている。
【０００３】
【特許文献１】
特開２００２−１１１８６１号公報
【０００４】
【発明が解決しようとする課題】
しかしながら、ケース内に収納された印字装置の型式、シリアル番号（製造番号）や製造年月日などを確認するためには、印字装置をケースの外に取り出さなければならず、また、確認後ケース内部に収納させることとなり、銘板情報を確認するために労力が必要になり、かつ作業時間を浪費するという問題がある。
また、印字装置の修理や点検などのメンテナンス時に過去のメンテナンス履歴が必要になることがあるが、問い合わせするなど手間がかかるという問題がある。
【０００５】
本発明は、上記問題にかんがみなされたもので、印字装置の銘板情報を容易に確認することができる印字装置を提供することを目的とする。
【０００６】
また、過去のメンテナンス履歴を容易に確認することができる印字装置を提供することを目的とする。
【０００７】
【課題を解決するための手段】
本発明は、文字などを表示する表示画面と、用紙に印字する印字部と、を備えた印字装置において、製造番号などの銘板情報を電子データとして記憶する銘板記憶部と、この銘板記憶部から前記銘板情報を呼び出し、呼び出した銘板情報を前記表示画面に表示もしくは前記用紙に印字することを特徴とする印字装置にある。
【０００８】
上記印字装置において、上記銘板記憶部に、メンテナンス情報を電子データとして記憶されていることを特徴とする。
【０００９】
【本発明の実施の形態】
本発明の印字装置を図１乃至図４に基づき説明する。
図１は本発明の実施の形態の一例を示した印字装置の概略斜視図であり、図２は印字装置のサブ体の概略構成図であり、図３は制御部の構成を説明するブロック図である。
【００１０】
１は印字装置としてのサーマルプリンタであり、２はサーマルプリンタを内方に収納可能な大きさを有するケース体である。
サーマルプリンタ１は、筐体としての本体３と、サブ体４とを一体に形成されており、本体３には、主に各種制御を行う制御部２０と、プラテンローラ１１を駆動するステッピングモータ２５と、表示部５と入力部６としての確定キー６ａ，選択キー６ｂと、銘板８と、が設けられている。
【００１１】
サブ体４には、主に印字部９としてのプラテンローラ１１とサーマルヘッド１０と、ロール状のインクリボン１４を供給するインクリボン供給軸１２とインクリボン巻取軸１３とが設けられている。
また、印字装置１の本体３に複数の穴部７，７が形成されており、この穴部７，７の位置に対応する部位であるケース体２に設けられた取付けプレート２ａ、２ａの図示しない螺溝が形成された取付け穴に、螺子（図示せず）を取付けてサーマルプリンタ１を固定することができるようにしている。
これにより、サーマルプリンタ１の一部である本体３は、ケース体２の内側に位置している。
【００１２】
サーマルプリンタ１の本体３の前面側（操作面側）には、表示部５と入力部６が設けられるとともに、サブ体４には、用紙Ｐやインクリボン１４などの消耗品の交換や印字発行操作など容易にできるように配置している。
また、本体３の後面部（ケース体２の奥側）に銘板８が貼付されている。銘板８には、サーマルプリンタ１の型式、製造番号、製造年月日や製造会社などが印字されている。
サーマルプリンタ１の本体３をケース体２の内側に収納し、前述した螺子を用いて印字装置１の本体３の穴部７，７からケース体２の取付けプレート２ａ、２ａの図示しない取付け歯合させ、サーマルプリンタ１をケース体２に固着させる。
これにより、銘板８はケース体２の奥側に位置するので容易に認識することが不可能となる。
【００１３】
なお、ケース体２には一部突出した供給プレート２ｂが設けられ、この供給プレート２ｂにロール状の用紙Ｐを回転可能に支持する用紙供給軸１７が設けられ、この用紙供給軸１７からロール状の用紙Ｐが繰り出されて印字部９に移送されるようにしてある。
また、サブ体４には、プラテンローラ１１とサーマルヘッド１０が設けられ、サーマルヘッド１０はプラテンローラ１１に対し接離自在に設けられ、この間に用紙Ｐを挿通できるようにしてあり、さらに、インクリボン供給軸１２から繰り出されたインクリボン１４は、用紙Ｐとサーマルヘッド１０との間に挿通するようにしてインクリボン巻取軸１３に巻き取られる。
これにより、サーマルヘッド１０をプラテンローラ１１に圧接して、制御部２０からの印字信号によりインクリボン１４のインクを用紙Ｐに転写して、文字、図形、バーコードなどを印字する。
【００１４】
さらに、サブ体４には用紙供給軸１７から繰り出される用紙Ｐを案内する案内ローラ１６と、用紙Ｐに所定の間隔で印刷された黒色のマーク（図示せず）を検出するピッチセンサ１８が用紙Ｐの搬送路に設けられ、このピッチセンサ１８の検出結果に基づいて用紙Ｐの印字開始位置などを決定される。なお、サブ体４には、用紙供給軸１７から繰り出された用紙Ｐを挿入する挿入口１９ａと、印字した用紙Ｐを排出する排出口１９ｂとが形成されている。
【００１５】
次に、サーマルプリンタの制御部について説明する。
図３は、電気的な構成例を示すブロック図である。同図に示すように、制御部２０は、所定の制御プログラムを記憶するＲＯＭ（ｒｅａｄ  ｏｎｌｙ  ｍｅｍｏｒｙ）２２と、ＲＯＭ２２に記憶されている制御プログラムに従って動作し、各部を制御するＣＰＵ（ｃｅｎｔｒａｌ  ｐｒｏｃｅｓｓｉｎｇ  ｕｎｉｔ）２１と、ＣＰＵ２１が動作する上で必要となる各種データを記憶するＲＡＭ（ｒａｎｄｏｍ  ａｃｃｅｓｓ  ｍｅｍｏｒｙ）２３と、ステッピングモータ２５にパルス信号を供給し、ステッピングモータ２５を回転させるモーター制御部２４と、ＣＰＵ２１から供給される印字すべき文字、図形およびバーコードなどの印字データに対応する制御信号を生成し、サーマルヘッド１０に供給し、印字動作を行わせる印字制御部２６と、ＣＰＵ２１の制御下、ピッチセンサ１８の発光部を制御し、光を出射させるとともに、受光部から出力される電気信号を受け取り、ディジタルのデータに変換してピッチ検出データとしてＣＰＵ２１に供給するセンサ制御部２７と、外部インタフェイス２８と、コネクタ２９、コネクタ３１とを備えている。
【００１６】
外部インタフェイス２８には、ＰＣ（パーソナル・コンピュータ）などを接続可能なポートを有し、また、コネクタ２９には、入力部６と、入力部６から入力された入力データ、銘板情報など各種情報を表示するための表示部５と、コネクタ３１には、銘板８に印字された情報と同一の情報と、メンテナンスの履歴が電子データとして記憶された書き換え可能な銘板用メモリ３０（銘板記憶部）とが接続されている。
入力部６には、確定キー６ａと、選択キー６ｂとから構成されている。入力部６より入力された入力データは、コネクタ２９を介してＣＰＵ２１に供給され、表示部５に表示される各種情報に対応する表示データは、コネクタ２９を介してＣＰＵ２１より供給されるようになっている。
【００１７】
外部インタフェイス２８は、外部に接続されたパーソナルコンピュータ（図示せず）等の各種機器との間で各種データやコマンドの送受信を行うようになっている。また、銘板用メモリ３０の書き換え可能な記憶手段としては、フラッシュＲＯＭ（ｆｌａｓｈ  ｒｅａｄ  ｏｎｌｙ  ｍｅｍｏｒｙ）、ＥＥＰＲＯＭ（ｅｌｅｃｔｒｉｃａｌｌｙ  ｅｒａｓａｂｌｅ  ｐｒｏｇｒａｍｍａｂｌｅ  ｍｅｍｏｒｙ  ｒｅａｄ  ｏｎｌｙ  ｍｅｍｏｒｙ）、ＦＤ（フロッピーデイスク）、ＲＦＩＤ（ｒａｄｉｏ  ｆｒｅｑｕｅｎｃｙ  ｉｄｅｎｔｉｆｉｃａｔｉｏｎｓｙｓｔｅｍ）など書き換え可能に記憶される記憶手段であれば何れでも採用可能であり、銘板用メモリ３０に記憶される銘板情報としては、サーマルプリンタ１の型式、シリアル番号（製造番号）、製造年月日などで、これらの情報にメンテナンス履歴などの電子コード化した情報を追加することもできる。
尚、メンテナンス履歴のデータの追加は、消耗部品やメンテナンスをコード番号化したデータを入力部６を操作し、表示画面５に表示されたコード番号を選択して入力可能にしてある。
【００１８】
なお、ＲＦＩＤはコネクタ３１に接続することなくケース体２の所望の位置に設置することができ、図示しないＲＦＩＤとデータの交信可能な交信機器により、ＲＦＩＤに誘起起電力を発生させてＲＦＩＤに記憶された情報を呼び出しまたは書き込むことができる。
【００１９】
このように制御されるサーマルプリンタ１は、定期的なメンテナンス、修理あるいは消耗部品の交換する時に、サーマルプリンタ１の型式、製造番号などを確認するが、銘板８がサーマルプリンタ１の背面側にあり、かつサーマルプリンタ１が固定されているために銘板８自体を確認することができないので、入力部６の所定の操作により確認することができる。
【００２０】
次に、図４のフローチャートに基づき銘板情報について説明する。
確定キー６ａと、選択キー６ｂの所定の操作により、通常印字画面から「メンテナンスモード」の画面を表示部５に表示する（ステップＡ１）。
さらに選択キー６ｂの所定の操作により画面をスクロールさせて、「メイバンヒョウジ」を表示させる（ステップＡ２）。
この「メイバンヒョウジ」の表示画面で銘板情報を確認する場合には、画面表示した「決定」「キャンセル」の「決定」を選択ボタン６ｂで選択して確定キー６ａ押すことによりステップＡ３に移行する。「キャンセル」を選択して確定キー６ａを押すことにより「メンテナンスモード」画面に戻る。
【００２１】
ステップＡ２において、「決定」を選択して確定ボタン６ａを押すとステップＡ３に移行し、が画面表示または印字の選択画面が表示される。
画面表示を選択するとステップＡ５に移行し、表示部５に銘板用メモリに記憶されている銘板情報およびメンテナンス履歴を読み出し表示する。銘板情報は、選択キーを押す毎に画面をスクロールさせることができ、銘板情報を順次表示されるようにしてある。
また、ステップＡ３で、表示画面で印字を選択するとステップＡ４に移行して、セットされている用紙Ｐに銘板情報のすべての情報が印字される。
なお、予め用紙Ｐの幅が制御部２０にセットされており、この用紙Ｐの幅内で改行されるように制御され、印字が用紙Ｐからはみ出すことがないようにしてある。
ステップＡ５またはステップＡ６を実行すると表示画面は、通常の印字発行画面に移行する。
なお、ステップ４で印字発行される銘板情報は、銘板８に印字されている形式、シリアル番号などの情報と、メンテナンス情報などのメンテナンス履歴情報とを選択して印字発行するようにしてもよい。
【００２２】
このように、銘板情報を電子データとして記憶し、サーマルプリンタ１の型式、製造番号や製造年月日、あるいはメンテナンス履歴を呼び出して表示または印字されるようにしてある。したがって、銘板８自体が容易に目視確認できないような位置にサーマルプリンタ１がケース体の内側に組み込まれた場合でも表示部５に表示または用紙Ｐに印字することができ確認が容易にできる。
また、制御部２０としての制御基板にコネクタ３１を介して専用の銘板用メモリ３０に銘板情報を記憶してあるので、制御基板を交換する場合においても、銘板用メモリ３０は制御基板と別体で設けられているので、意識することなく交換でき、交換した制御基板にコネクタ３１を接続することにより、上述の操作で銘板情報が表示部５表示または用紙Ｐに印字することができる。
【００２３】
なお、銘板用メモリ３０としてＲＦＩＤ（図示せず）を採用した場合には、コネクタ３１に接続する必要がなく、図示しないＲＦＩＤと交信可能な交信機器により、通信可能な範囲であれば何れの位置に配置してもよい。
【００２４】
本発明の実施の形態では、サーマルヘッドを設けた印字装置で説明したが、インクジェット、トナー、など用紙に印字する印字装置で、この印字装置をケース体などに組み込まれる場合など何れでもよい。
【００２５】
【発明の効果】
以上説明したように本発明は、ケース体内に収納された印字装置の銘板情報としての装置の型式、シリアル番号や製造年月日などの必要事項を確認するためにケース体内からケース体の外に取り出すことなく、容易に銘板情報を確認することができる。
また、銘板情報にメンテナンスや修理の履歴を記憶させることができ、作業者に有効的な情報が得られ、メンテナンスなどの報告書の作成する場合に作業能率が向上するとともに作業時間の短縮することがきる。
【図面の簡単な説明】
【図１】本発明の実施の形態の一例を示した印字装置の概略斜視図である。
【図２】本発明の印字装置のサブ体の概略構成図である。
【図３】電気的な構成例を示すブロック図である。
【図４】銘板情報を表示させるフローチャートです。
【符号の説明】
１      サーマルプリンタ（印字装置）
２      ケース体
３      本体（筐体）
４      サブ体（筐体）
５      表示部
６      入力部
８      銘板
９      印字部
１０      サーマルヘッド
１１      プラテンローラ
２０      制御部
３０      銘板用メモリ（銘板記憶部）
３１      コネクタ
Ｐ      用紙
【図１】
2004181650.tif 000003
【図２】
2004181650.tif 000004
【図３】
2004181650.tif 000005
【図４】
2004181650.tif 000006